(57)【要約】【課題】繰り返し使用することができ衛生的に管理できる安価な簡易マスクを提供する。【解決手段】簡易マスク１は、複数のプリーツ２３が形成された前面部材２と、着用者の顔に接触する背面部材３とを有する。前面部材２と背面部材３との間に飛沫感染を防止するための中間部材４を挟み、プリーツ２３を広げて着用者の鼻、口、及び顎を覆う。前面部材２の少なくとも一部と背面部材３は、合成樹脂製のメッシュで形成されている。前面部材２と背面部材３とは一端部のみが連結され、連結された一端部を中心に前面部材２と背面部材３が大きく開閉し、中間部材４の着脱或いは交換が容易にできる。【選択図】図２
0003228270.tif 000002
【実用新案登録請求の範囲】
【請求項１】
複数のプリーツが形成された前面部材と、着用者の顔に接触する背面部材と、耳掛け紐とを有し、前記前面部材と前記背面部材との間に飛沫感染を防止するための中間部材を挟み、前記プリーツを広げて着用者の鼻、口、及び顎を覆い着用する簡易マスクであって、
前記前面部材の少なくとも一部と前記背面部材とは、合成樹脂製のメッシュで形成されており、
前記前面部材と前記背面部材とは一端部のみが連結され、連結された一端部を中心に前記前面部材と前記背面部材とが大きく開閉することにより、前記中間部材の着脱或いは交換が容易にできる簡易マスク。
【請求項２】
前記前面部材は、前記合成樹脂製のメッシュで形成されている内側部と、飛沫を通さないシート素材で形成されている外側部を有する請求項１に記載の簡易マスク。
【請求項３】
前記外側部は、前記前面部材の上下左右の端部から中心に向かって幅があり、
前記外側部の下側の幅は、前記前面部材を展開したときのほぼ下半分の幅である請求項２に記載の簡易マスク。
【請求項４】
前記背面部材は、前記中間部材を保持する中間部材保持部を有する請求項１から３のいずれか一項に記載の簡易マスク。
【請求項５】
前記耳掛け紐は、前面部材に設けられ、
前記耳掛け紐が前記前面部材に設けられていることにより、着用の際に前記前面部材が前記中間部材を押さえつけながら着用者の後方側に引っ張られ前記中間部材の落下を防止する請求項１から４のいずれか一項に記載の簡易マスク。
【考案の詳細な説明】
【技術分野】
【０００１】
本考案は、繰り返し使用することができ衛生的に管理できる安価な簡易マスクに関するものである。
【背景技術】
【０００２】
近年、風邪やインフルエンザなどの感染症の予防や花粉症などアレルギー性鼻炎の対策には、複数のシート状の不織布を重ねて形成された使い捨てマスクが一般的に使用されている。このようなマスクは、フィルター機能を有する内層シートと外層シートとが一体に形成されており、洗浄するとフィルター機能が低下することから、一度きりの使用が好ましい。これに対して、マスク本体の内部に交換あるいは洗浄できるフィルターを介在させて繰り返し使用することができるマスクが提供されている。
【０００３】
衛生的に繰り返し使用することができるマスクとして、例えば、特許文献１は、合成樹脂で椀状に形成されたマスク本体とカバーとの間に、交換可能な補足体（フィルター）を介在させることができるマスクを開示している。また、引用文献２は、合成樹脂で形成されたマスク本体とその内部に脱着可能なフィルターを有するマスクを開示している。
【先行技術文献】
【特許文献】
【０００４】
【特許文献１】実用新案登録第３１５７８５７号公報
【特許文献２】特表２０１６−５３７２１８号公報
【考案の概要】
【考案が解決しようとする課題】
【０００５】
しかしながら、特許文献１のように、合成樹脂で形成された複数の部品を組み立てて構成されたマスクは、構造を単純化しても壊れやすいという問題がある。また、特許文献２のように、繰り返し使用することができるフィルターを有するマスクは、製造コストがかかることによって高価になりやすく、購入費などの面で使用者の負担が大きい。
【０００６】
また、インフルエンザなどの感染症の原因は、飛沫感染が多いことが知られている。飛沫感染とは、感染症にかかった感染者が咳やくしゃみをしたときに飛散した飛沫中の中に含まれるウイルスを吸い込むことにより感染するものである。飛沫感染を防ぐには、マスクを着用して、飛沫の飛散や吸引を防ぐことが特に有効である。
【０００７】
本考案は上記課題を解決するものであり、繰り返し使用することができ衛生的に管理できる安価な簡易マスクの提供を目的とする。さらに、マスク本体を簡易な構成にすることによって、マスク本体を洗浄しても乾きやすく雑菌などの繁殖を防止し清潔に保つことができる。
【課題を解決するための手段】
【０００８】
上記課題を解決するために、本考案の簡易マスクは、複数のプリーツが形成された前面部材と、着用者の顔に接触する背面部材と、耳掛け紐とを有し、前面部材と背面部材との間に飛沫感染を防止するための中間部材を挟み、プリーツを広げて着用者の鼻、口、及び顎を覆い着用する簡易マスクであって、前面部材の少なくとも一部と背面部材とは、合成樹脂製のメッシュで形成されており、前面部材と背面部材とは一端部のみが連結され、連結された一端部を中心に前面部材と背面部材とが大きく開閉することにより、中間部材の着脱或いは交換が容易にできる。
【０００９】
前面部材は、合成樹脂製のメッシュで形成されている内側部と飛沫を通さないシート素材で形成されている外側部を有する。外側部は、前面部材の上下左右の端部から中心に向かって幅があり、外側部の下側の幅は、前面部材を展開したときのほぼ下半分の幅であることが好ましい。
【００１０】
背面部材は、中間部材を保持する中間部材保持部を有することが好ましい。
【００１１】
耳掛け紐は、前面部材に設けられていることが好ましい。耳掛け紐が前面部材に設けられていることによって、着用の際に前面部材が中間部材を押さえつけながら着用者の後方側に引っ張られ中間部材の落下を防止する。
【考案の効果】
【００１２】
本考案によれば、繰り返し使用することができ、衛生的に管理できる安価なマスクを提供することができる。
【図面の簡単な説明】
【００１３】
【図１】本考案の簡易マスクを示す正面図である。
【図２】本考案の簡易マスクを展開したときを示す模式図である。
【図３】本考案の簡易マスクを着用したときの横方向からの見かけを示す図である。
【図４】本考案の簡易マスクにおいて、前面部材がシート状の素材で形成された外側部を有する場合を示す模式図である。
【図５】図４の場合の本考案の簡易マスクを着用したときの横方向からの見かけを示す図である。
【図６】本考案の簡易マスクにおいて、背面部材が中間部材保持部を有する場合を示す模式図である。
【図７】本考案の簡易マスクの変形例を示す正面図である。
【図８】図７に係る簡易マスクを着用したときの横方向からの見かけを示す図である。
【考案を実施するための形態】
【００１４】
図１及び図２に示すように、本考案の簡易マスク１は、複数のプリーツ２３が形成された前面部材２と、着用者の顔面に接触する背面部材３とを有し、前面部材２と背面部材３との間に中間部材（例えばティッシュペーパー）４を挟んで使用するものである。中間部材４は、飛沫の飛散や吸引を防ぐことによって飛沫感染を防止するフィルターとして機能する。
【００１５】
前面部材２は、前面部材２の中央側に位置し、合成樹脂製のメッシュ素材で形成されているメッシュ部（内側部）２１と、簡易マスク１を着用する際に着用者の耳に掛ける耳掛け紐２４とを有する。背面部材３は、ほぼ全面が前面部材２のメッシュ部２１と同様のメッシュ素材で形成されている。耳掛け紐２４は、市販のゴム紐や、長さを調節できるようにした紐を用いることが好ましい。
【００１６】
また、図２に示すように、前面部材２と背面部材３とは、前面部材２の上端部２ａと背面部材３の上端部（図示しない）とを縫い付けることによって連結されている。このように、簡易マスク１は、一端部のみが連結されていることにより、連結された一端部を中心に前面部材２と背面部材３とが大きく開閉するため、中間部材４の着脱や交換が容易にできる。
【００１７】
図３は、このように構成された簡易マスク１の着用中の例を示したものである。このとき使用する中間部材４は、口と鼻、及びその周辺部を保護する適度な大きさのものを用いるのがよい。簡易マスク１の着用中には、前面部材２が耳掛け紐２４により着用者の後方側に引っ張られ、前面部材２が中間部材４を押さえつけるため、中間部材４のずれが低減される。また、プリーツ２３が着用者の顎に立体的にフィットするように展開するため、中間部材４は下方に向かってずれることがなく落下が防止できる。
【００１８】
また、前面部材２と背面部材３とは多くの部分が、メッシュ素材で形成されているため、簡易マスク１を比較的気温の高い場所で着用する場合であっても、呼気による不快な熱のこもりを防止する。
【００１９】
本考案の簡易マスク１は、その構造により、着用する際に中間素材４がずれにくいようになっているが、長時間着用すると段々にずれて、口や鼻周辺部の適切な範囲を保護できない場合が考えられる。図４に示すように、前面部材２は、メッシュ部２１の周りに飛沫を通さないシート素材で形成されている外側部２２を有することが好ましい。外側部２２は、上下左右の端部から中心に向かって幅があり、下側の幅が前面部材２を展開したときのほぼ下半分の幅であることが好ましい。
【００２０】
このように、メッシュ部２１の周りに飛沫を通さないシート素材を有していれば、中間素材４が多少ずれても、中間素材４と外側部２２との左右方向の隙間ができず、口や鼻を保護することができる。さらに、図５に示すように、外側部２２の下側の幅が前面部材２を展開したときのほぼ下半分の幅であることによって、プリーツ２３を展開して着用する際に顎側の隙間を無くすことができる。なお、外側部２２は、中間部材４と外側部２２との隙間をより無くすために、前面部材２における背面部材３側の面（前面部材２と背面部材３の間）に形成することが好ましい。
【００２１】
背面部材３は、中間部材４の落下を防止するために、中間部材保持部３２を有することが好ましい。中間部材保持部３２は、図６に示すように、背面部材３の下端部３ｂと側端部３ｃの一部に縫い付けられており、背面部材３の下方端から上方に向かって開口して、いわゆるポケットのような形状に形成されている。中間部材４は、中間部材保持部３２によって保持されるため、着用中の落下を確実に防止できる。中間部材保持部３２の素材は、乾きやすい素材を用いることが好ましいが、これに限らず、ずれを低減するために摩擦力のある素材を使用してもよい。なお、中間部材保持部３２は、背面部材３側に代えて、前面部材２側に設けてもよい。この場合は、マスクの着用時に中間部材４が適切な高さに位置するように設けることが好ましい。
【００２２】
本実施例（例えば図１参照）では、前面部材２に２個のプリーツ２３を形成した例を示したが、プリーツ２３の個数や形状は特に限らない。下方に展開するプリーツ２３に加えて、上方に展開するプリーツ２３を形成してもよい。上方に展開するプリーツ２３を備えれば、簡易マスク１を着用する際に鼻周りの密着性が上がり、感染症の予防効果が向上する。また、鼻周りの密着性をより高めるために、簡易マスク１の上端部に一般的なマスクと同様に可逆性を有する鼻当て部材（図示しない）を設けてもよい。
【００２３】
マスクを着用していると着用者の顔面側の面に唾液が付着するため、例えば１日中着用するには衛生面に不安がある。本考案の簡易マスク１は、任意のタイミングにおいて中間部材４を取り替えることができ衛生的である。また、構造が簡単で細部まで容易に洗浄することができる。さらに、多くの部分が合成樹脂製のメッシュ素材で形成されているため、洗浄しても乾燥しやすく雑菌も繁殖しにくいため、汚れるたびに洗浄して清潔に保つことができる。
【００２４】
本考案の簡易マスク１は、折り畳める構造であるから、コンパクトに収納することができて保管がしやすい。また、災害時や大気の汚れが気になる場合などにも着用することができる。特に災害時においては、マスクの供給が間に合わないことも考えられる。本考案の簡易マスク１は、衛生的に保管しておくことができるから災害に備えて備蓄しておくことも有用である。
【００２５】
本考案の簡易マスク１は、最小限の部品点数で構成されているため、破損の心配はあまりないが、修理が必要な場合でも、組み立て式のマスクのように部品交換が必要となるようなことが少ない。また、縫製部分のほつれなどは使用者自身で修復することができ、修理して再使用しても機能が低下することがない。
【００２６】
本実施例では、中間素材４としてティッシュペーパーを用いる例を示したが、より微小なウイルスを捕捉する機能を有するフィルターを別途用意してもよい。予め用意した中間素材４であれば、より感染のリスクを低減することができる。さらに、中間素材４としては、抗菌仕様の繊維素材、ガーゼ、清潔な布の切れ端など、様々な素材のものが使用できる。
【００２７】
上述の実施例では、前面部材２と背面部材３とが開閉する構造としているが、次ような構成としてもよい。図７及び図８に示すように、簡易マスク１は、前面部材２と背面部材６の外周部が接合され、前面部材２と背面部材６との間に空間が形成される。簡易マスク１を使用する際には、背面部材６に形成された中央の開口部６１から内側の空間に中間部材４を収納する。背面部材６は、前面部材２を展開したときの大きさと同程度の大きさである。背面部材６の中央の開口部６１の大きさは、簡易マスク１を折り畳んだ状態の見かけの面積よりは小さく、例えば見かけの面積の半分程度である。開口部６１は、中間部材４を収納しやすくするために、実際の開口を大きく形成し、開口部６１の開口端に伸縮性を有する素材を縫製して開口部６１に伸縮性を持たせてもよい。なお、伸縮性のある素材を用いてもよい。中間部材４の大きさは、開口部６１より大きいものを使用することが好ましい。以上の構成により、着用時に中間素材４と背面部材６とが着用者の鼻、口、及び顎を覆い、飛沫感染を防止する。さらに、前面部材２と背面部材６とによって中間部材４が保持されるため、中間部材４はずれが低減され落下することもない。下記の付記項は、前面部材２及び背面部材６の外周部が接合され、内側の空間に中間部材４を収納することができる簡易マスク１の構成を示すものである。
【００２８】
（付記項１）
複数のプリーツが形成された前面部材と、着用者の顔に接触する背面部材と、耳掛け紐とを有し、前記前面部材と前記背面部材との間に飛沫感染を防止するための中間部材を収納し、前記プリーツを広げて着用者の鼻、口、及び顎を覆い着用する簡易マスクであって、
前記前面部材は、合成樹脂製のメッシュで形成されており、
前記背面部材は、中央に開口部が形成されており、
前記前面部材と前記背面部材との間に空間が形成されるように、前記前面部材と前記背面部材の外周部を接合し、前記開口部から前記空間に前記中間部材を収納する簡易マスク。
【符号の説明】
【００２９】
１  簡易マスク
２  前面部材
２ａ  上端部
２１  メッシュ部
２２  外側部
２３  プリーツ
２４  耳掛け紐
３  背面部材
３ｂ  下端部
３ｃ  側端部
３１  メッシュ部
３２  中間部材保持部
４  中間部材
６  背面部材
６１  開口部
【図１】
0003228270.tif 000003
【図２】
0003228270.tif 000004
【図３】
0003228270.tif 000005
【図４】
0003228270.tif 000006
【図５】
0003228270.tif 000007
【図６】
0003228270.tif 000008
【図７】
0003228270.tif 000009
【図８】
0003228270.tif 000010